(57)【要約】　　　（修正有）【課題】安全に刃体を交換することができ、かつ交換後のかみ合わせ調整が不要な替え刃式鋏を提供する。【解決手段】開閉操作部４と、この開閉操作部４に着脱自在に連結され、開閉操作部４の操作により開閉することで被切断材を挟持切断し得る挟持切断部５とから成る鋏であって、一対の刃体６，７同士を重合状態に枢着連結して成る連結刃Ｂを複数設け、これらの連結刃Ｂを前記開閉操作部４に着脱自在に設けて前記挟持切断部５を構成したものである。【選択図】　　　　図２
2004065504.tif 000002
【特許請求の範囲】
【請求項１】
開閉操作部と、この開閉操作部に着脱自在に連結され、開閉操作部の操作により開閉することで被切断材を挟持切断し得る挟持切断部とから成る鋏であって、一対の刃体同士を重合状態に枢着連結して成る連結刃を複数設け、これらの連結刃を前記開閉操作部に着脱自在に設けて前記挟持切断部を構成したことを特徴とする鋏。
【請求項２】
基端部に指掛け部を有する一対の指掛け半体同士を軸部材を介して枢着して成る開閉操作部と、この開閉操作部に着脱自在に連結され、開閉操作部の操作により開閉することで被切断材を挟持切断し得る挟持切断部とから成り、前記挟持切断部は一対の刃体同士を重合状態に枢着連結して構成されており、この刃体同士の重合枢着連結部に前記指掛け半体を挟み込み重合状態とするとともに、この重合部位に前記軸部材を脱着自在に嵌挿することで、前記開閉操作部に前記挟持切断部を着脱自在に連結し得るように構成したことを特徴とする鋏。
【請求項３】
前記刃体同士は筒状軸部材を介して重合状態に枢着連結されており、この重合枢着連結部に前記指掛け半体を挟み込み重合状態とした際、この指掛け半体夫々に設けられる前記軸部材を嵌挿するための孔が前記筒状軸部材の筒孔に合致するようにし、この合致する孔に前記軸部材を嵌挿することで、前記開閉操作部に前記挟持切断部を着脱自在に連結し得るように構成したことを特徴とする請求項２記載の鋏。
【請求項４】
前記指掛け半体夫々の前記軸部材で枢着される枢着部位よりも先端部位に、前記刃体夫々に設けた被係止部に凹凸係止する係止部を設けて、前記指掛け半体の開閉操作により前記刃体が開閉するように構成されていることを特徴とする請求項２，３のいずれか１項に記載の鋏。
【発明の詳細な説明】
【０００１】
【発明の属する技術分野】
本発明は、刃体を取り替えできる替え刃式の鋏に関するものである。
【０００２】
【従来の技術及び発明が解決しようとする課題】
従来から、刃体が取り換え自在となるように設けられた替え刃式の鋏が種々提案されている。
【０００３】
この替え刃式の鋏は、刃体を新品と交換することができるのは勿論、切れ味の悪くなった刃体を研ぐ際にも便利である。
【０００４】
ところで、この従来から提案されている替え刃式の鋏は、例えば鋏本体の枢着部よりも先端側の部位夫々に刃体を被せて連結したり、軸着して連結する構造が一般的であるが、いずれも一対の刃体を一枚ずつ取り替える作業となり非常に煩わしく、しかも、刃縁が剥き出し状態のままの取り替え作業となる為、非常に危険である。
【０００５】
また、この従来から提案される替え刃式の鋏は、取り替え後における刃体同士のかみ合せが悪くて調整（セッティング）が必要となる場合が多々あり、とは言え、設計寸法どおりでかみ合せ調整が不要なものを製造しようとすれば高精度な製造技術が必要となり、量産性が悪くコスト面に問題点が生じてしまう。
【０００６】
本出願人は、上述した問題点に着目し、極めて商品価値の高い画期的な鋏を開発した。
【０００７】
【課題を解決するための手段】
添付図面を参照して本発明の要旨を説明する。
【０００８】
開閉操作部４と、この開閉操作部４に着脱自在に連結され、開閉操作部４の操作により開閉することで被切断材を挟持切断し得る挟持切断部５とから成る鋏であって、一対の刃体６，７同士を重合状態に枢着連結して成る連結刃Ｂを複数設け、これらの連結刃Ｂを前記開閉操作部４に着脱自在に設けて前記挟持切断部５を構成したことを特徴とする鋏に係るものである。
【０００９】
また、基端部に指掛け部１ａ，２ａを有する一対の指掛け半体１，２同士を軸部材３を介して枢着して成る開閉操作部４と、この開閉操作部４に着脱自在に連結され、開閉操作部４の操作により開閉することで被切断材を挟持切断し得る挟持切断部５とから成り、前記挟持切断部５は一対の刃体６，７同士を重合状態に枢着連結して構成されており、この刃体６，７同士の重合枢着連結部８に前記指掛け半体１，２を挟み込み重合状態とするとともに、この重合部位に前記軸部材３を脱着自在に嵌挿することで、前記開閉操作部４に前記挟持切断部５を着脱自在に連結し得るように構成したことを特徴とする鋏に係るものである。
【００１０】
また、前記刃体６，７同士は筒状軸部材９を介して重合状態に枢着連結されており、この重合枢着連結部８に前記指掛け半体１，２を挟み込み重合状態とした際、この指掛け半体１，２夫々に設けられる前記軸部材３を嵌挿するための孔１ｂ，２ｂが前記筒状軸部材９の筒孔９ａに合致するようにし、この合致する孔１ｂ，２ｂ，９ａに前記軸部材３を嵌挿することで、前記開閉操作部４に前記挟持切断部５を着脱自在に連結し得るように構成したことを特徴とする請求項２記載の鋏に係るものである。
【００１１】
また、前記指掛け半体１，２夫々の前記軸部材３で枢着される枢着部位よりも先端部位に、前記刃体６，７夫々に設けた被係止部１２，１３に凹凸係止する係止部１０，１１を設けて、前記指掛け半体１，２の開閉操作により前記刃体６，７が開閉するように構成されていることを特徴とする請求項２，３のいずれか１項に記載の鋏に係るものである。
【００１２】
【発明の実施の形態】
好適と考える本発明の実施の形態（発明をどのように実施するか）を、図面に基づいてその作用効果を示して簡単に説明する。
【００１３】
本発明は、挟持切断部５が一対の刃体６，７同士を重合状態に枢着連結して成る連結刃Ｂで構成されており、この連結刃Ｂは開閉操作部４に着脱自在に連結することができる。また、この刃体６，７を新品のものと取り替えたり、研いだりする際には、開閉操作部４から取り外すことができる。
【００１４】
従って、挟持切断部５を構成する刃体６，７同士は予め連結されており、この刃体６，７から成る連結刃Ｂが開閉操作部４に対して着脱自在に連結し得る構造であるから、従来のように刃体を一本ずつ取り替えるのではなく、予め刃体６，７を連結した連結刃Ｂを連結するだけの構造であるから、取り扱いが極めて良好で開閉操作部４に対する挟持切断部５の脱着が迅速且つ確実に行えることになり、しかも、従来のように刃縁が剥き出し状態ではないから、取り替え作業が極めて安全に行えることになる。
【００１５】
また、例えば予め製造工場にてかみ合せ調整（セッティング）が行われているのを取り替えれば良いことになるから、取り替え後のかみ合せ調整は一切不要となり常に良好な切れ味の鋏が簡易且つ確実に得られることになり、しかも、従来から提案される刃体６，７を一本ずつ取り替える構造のように、刃体６，７の取り替え後のかみ合せ調整を不要にさせようとすると、高精度な技術を要してしまう構造に比し、予め工場にて刃体６，７を枢着連結することにより、かみ合せ調整が行われた連結刃Ｂは簡易に製造することができるから、量産性に秀れコスト安となる。
【００１６】
【実施例】
本発明の具体的な実施例について図面に基づいて説明する。
【００１７】
本実施例は、開閉操作部４と、この開閉操作部４に着脱自在に連結され、開閉操作部４の操作により開閉することで被切断材を挟持切断し得る挟持切断部５とから成るものである。
【００１８】
具体的には、開閉操作部４は、一対の指掛け半体１，２同士を軸部材３を介して枢着して構成されている。
【００１９】
この指掛け半体１，２は、夫々図１，２に図示したように適宜な金属製の部材で形成したものであり、その基端部には環状の指掛け部１ａ，２ａが設けられ、先端部には後述する連結刃Ｂの重合枢着連結部８に重合状態とする平坦状部１ｃ，２ｃが設けられている。
【００２０】
また、指掛け半体１，２は、その平坦状部１ｃ，２ｃの中央位置に軸部材３を嵌挿させて連結する為の孔１ｂ，２ｂが形成されており、この軸部材３を支点として指掛け半体１，２同士は開閉操作し得るように構成されている。符号１４は軸部材３の先端部に螺着するナット部材である。
【００２１】
また、指掛け半体１，２は、その平坦状部１ｃ，２ｃの先端中央位置にして前述した孔１ｂ，２ｂよりも先端位置に凸部１０，１１が形成されている。
【００２２】
この凸部１０，１１は、後述する連結刃Ｂに係る刃体６，７夫々に設けられる被係止部１２，１３に係止する係止部１０，１１として構成されており、指掛け半体１，２を開閉作動させた際、連結刃Ｂの刃体６，７を開閉させるためのものである。
【００２３】
連結刃Ｂは、一対の刃体６，７同士を重合状態に枢着連結して構成されている。
【００２４】
刃体６，７は、図１，２に図示したように適宜な金属製の部材で形成した板状体であり、この刃体６，７同士は、夫々一端縁に形成される刃縁６ａ，７ａを内側にした状態でその基端部同士を筒状枢着軸材９を介して枢着連結している。従って、連結刃Ｂはこの重合枢着連結部８を支点として刃体６，７同士が開閉回動自在となる。
【００２５】
また、刃体６，７は、その重合枢着連結部８の近傍先端側位置にして外面に開口する凹部１２，１３（貫通孔）が形成されている。この凹部１２，１３は、重合枢着連結部８に外側から挟み込み重合状態とした指掛け半体１，２夫々に形成された係止部１０，１１が凹凸係止する被係止部１２，１３として構成されている。従って、開閉操作部４の開閉作用が確実に挟持切断部５に伝えられることになり、連結刃Ｂを構成する刃体６，７が確実に開閉して被切断部材を挟持切断し得ることになる（この指掛け半体１，２と刃体６，７との間に係止するものがない場合には、開閉操作部４を操作しても挟持切断部５は作動することはない。）。
【００２６】
本実施例は上述のように構成したから、連結刃Ｂを構成する刃体６，７同士の重合枢着連結部８に指掛け半体１，２を挟み込み重合状態とした際、この指掛け半体１，２夫々に設けられる孔１ｂ，２ｂが連結刃Ｂの筒状軸部材９の筒孔９ａに合致し、この合致する孔１ｂ，２ｂ，９ａに軸部材３を嵌挿することで、開閉操作部４に挟持切断部５を着脱自在に連結することができる。また、この際、連結刃Ｂに設けられた被係止部１２，１３に指掛け半体１，２夫々に形成された係止部１０，１１が凹凸係止する。
【００２７】
例えば刃体６，７を新品のものと取り換えたり、研いだりする際には、軸部材３を取り外すだけで、開閉操作部４を構成する指掛け半体１，２から挟持切断部５を構成する刃体６，７を取り外すことができる。
【００２８】
よって、本実施例によれば、挟持切断部５を構成する刃体６，７同士は予め連結されており、この刃体６，７から成る連結刃Ｂが開閉操作部４に対して着脱自在に連結し得る構造であるから、従来のように刃体を一本ずつ取り替えるのではなく、予め刃体６，７を連結した連結刃Ｂを連結するだけの構造であるから、取り扱いが極めて良好で開閉操作部４に対する挟持切断部５の脱着が迅速且つ確実に行えることになり、しかも、従来のように刃縁が剥き出し状態ではないから、取り替え作業が極めて安全に行えることになる。
【００２９】
また、例えば予め製造工場にてかみ合せ調整（セッティング）が行われているのを取り替えれば良いことになるから、取り替え後のかみ合せ調整は一切不要となり常に良好な切れ味の鋏が簡易且つ確実に得られることになり、しかも、従来から提案される刃体６，７を一本ずつ取り替える構造のように、刃体６，７の取り替え後のかみ合せ調整を不要にさせようとすると、高精度な技術を要してしまう構造に比し、予め工場にて刃体６，７を枢着連結することにより、かみ合せ調整が行われた連結刃Ｂは簡易に製造することができるから、量産性に秀れコスト安となる。
【００３０】
尚、本発明は、本実施例に限られるものではなく、各構成要件の具体的構成は適宜設計し得るものである。
【００３１】
【発明の効果】
本発明は上述のように構成したから、開閉操作部に対する挟持切断部の脱着が迅速且つ確実に、そして、極めて安全に行えることになり、しかも、取り替え後のかみ合せ調整は一切不要となり良好な切れ味の鋏が簡易且つ確実に得られることになり、量産性に秀れコスト安となるなど極め商品価値の高い画期的な鋏となる。
【００３２】
また、請求項２記載の発明においては、軸部材を脱着するだけで開閉操作部に対する挟持切断部の脱着が迅速且つ確実におこなえることになるなど極め商品価値の高い画期的な鋏となる。
【００３３】
また、請求項３記載の発明においては、具体的な構成から確実に開閉操作部に対する挟持切断部の脱着が行えることになるなど極め商品価値の高い画期的な鋏となる。
【００３４】
また、請求項４記載の発明においては、開閉操作部の開閉作用が確実に挟持切断部に伝えられることになり、連結刃を構成する刃体で確実に挟持切断し得ることになるなど極め商品価値の高い画期的な鋏となる。
【図面の簡単な説明】
【図１】本実施例を示す正面図である。
【図２】本実施例に係る要部の説明斜視図である。
【図３】本実施例に係る要部の説明断面図である。
【符号の説明】
Ｂ　連結刃
１　指掛け半体
１ａ　指掛け部
１ｂ　孔
２　指掛け半体
２ａ　指掛け部
２ｂ　孔
３　軸部材
４　開閉操作部
５　挟持切断部
６　刃体
７　刃体
８　重合枢着連結部
９　筒状軸部材
９ａ　筒孔
１０　係止部
１１　係止部
１２　被係止部
１３　被係止部
【図１】
2004065504.tif 000003
【図２】
2004065504.tif 000004
【図３】
2004065504.tif 000005